(57)【特許請求の範囲】
【請求項１】
ディジタル信号受信装置であって、
特定のディジタル・コンテンツを含む信号および当該特定のディジタル・コンテンツに割り当てられた第１のディジタル・キーを受信する入力手段を備え、
前記信号受信装置には第２のディジタル・キーが割り当てられており、
前記装置はさらに、
前記第１及び第２のディジタル・キーを記憶する記憶手段と、
暗号化されたディジタル・データを発生するために、前記第１及び第２のディジタル・キーを使用して前記特定のディジタル・コンテンツを暗号化する暗号化手段と、
前記暗号化ディジタル・データをディジタル記録装置に出力する出力手段と、を備える、前記装置。
【請求項２】
前記暗号化されたディジタル・データは、前記第２のディジタル・キーとは異なるディジタル・キーを割り当てられた他の信号受信装置で復号化できない、請求項１記載の装置。
【請求項３】
前記入力手段は、前記第１のディジタル・キーもまた信号源から受信する、請求項１記載の装置。
【請求項４】
前記第２のディジタル・キーが、製造の間、前記記憶手段の中にプログラムされる、請求項１記載の装置。
【請求項５】
前記ディジタル記録装置が、ディジタル・バスを介し、前記ディジタル信号受信装置に接続される、請求項１記載の装置。
【請求項６】
前記ディジタル信号受信装置は、利用者が第１のディジタル・キーを変更するためのユーザ・インタフェースを含んでいない、請求項１記載の装置。
【請求項７】
信号受信装置およびディジタル記録装置を使用してディジタル記録をイネーブルする方法であって、
前記信号受信装置が、
特定のディジタル・コンテンツに割り当てられた第１のディジタル・キーを受信するステップであって、前記信号受信装置には第２のディジタル・キーが割り当てられている、前記ステップと、
前記特定のディジタル・コンテンツを含む信号を受信するステップと、
暗号化されたディジタル・データを発生するために、前記第１および第２のディジタル・キーを使用して前記特定のディジタル・コンテンツを暗号化するステップと、
前記暗号化されたディジタル・データを前記ディジタル記録装置に送信するステップと、
を備えるステップを遂行する、前記方法。
【請求項８】
前記ディジタル記録装置が、
前記暗号化されたディジタル・データを受信するステップと、
前記暗号化されたディジタル・データをメモリに記録するステップと、
前記暗号化されたディジタル・データを前記メモリから検索するステップと、
暗号化解除のために、前記暗号化されたディジタル・データを前記信号受信装置に返送するステップと、
を備えるステップを遂行する、請求項７記載の方法。
【請求項９】
前記暗号化されたディジタル・データが、前記第２のディジタル・キーとは異なるディジタル・キーを割り当てられた他の信号受信装置で復号化できない、請求項７記載の方法。
【請求項１０】
前記信号受信装置が、前記第１のディジタル・キーを信号源から受信する、請求項７に記載の方法。
【請求項１１】
前記第２のディジタル・キーが、製造の間、前記信号受信装置のメモリの中にプログラムされる、請求項７記載の方法。
【請求項１２】
前記信号受信装置と前記ディジタル記録装置が１つの装置の中に統合される、請求項７記載の方法。
【請求項１３】
前記信号受信装置が、前記ディジタル記録装置に外部で接続される、請求項７記載の方法。
【請求項１４】
前記信号受信装置が、ディジタル・バスを介し、前記ディジタル記録装置に接続される、請求項１３記載の方法。
【請求項１５】
前記信号受信装置は、利用者が前記第１のディジタル・キーを変更するためのユーザ・インタフェースを含んでいない、請求項７記載の方法。
【発明の詳細な説明】
【技術分野】
【０００１】
一般に、本発明は、ディジタル記録（ｄｉｇｉｔａｌ  ｒｅｃｏｒｄｉｎｇ：ディジタル・レコーディング）に関し、とりわけ、特定の家庭用／営業用住宅に関連する装置に独自のディジタル・キーを使用してコンテンツ（番組内容）を保護する、ディジタル記録技術に関する。
【背景技術】
【０００２】
パーソナル・ビデオ・レコーダ（ＰＶＲ：Ｐｅｒｓｏｎａｌ  Ｖｉｄｅｏ  Ｒｅｃｏｒｄｅｒ）又はＶＴＲは、種々の特徴を提供するディジタル記録装置であり、利用者は、テレビジョン受信機、モニタ装置または他の表示装置に表示されるグラフィカル・ユーザ・インタフェース（ＧＵＩ）により、将来放送されるテレビジョン番組、または現在放送中のテレビジョン番組を選択できる。このような装置は、選択された番組をハード・ディスクのような記憶モジュール（要素）にディジタル的に記録し、利用者のコマンドに応答して、番組を記憶モジュールから取り出し、番組を復元／復号化し、ビデオ信号をテレビジョン受信機、モニタまたは他の表示装置に出力することにより、記憶された番組を再生する。このような性能を有する装置は現在、「ＴｉＶｏ」、「ＲｅＰｌａｙＴＶ」、「Ｓｋｙ＋」、「Ｓｈｏｗｓｔｏｐｐｅｒ」などの商品名で販売されている。
【０００３】
パーソナル・ビデオ・レコーダ（ＰＶＲ）のようなディジタル記録装置では、コンテンツの保護は重要な問題である。コンテンツ保護により、ディジタル・コンテンツのような内容が不正にコピー、ハッキング、盗用、或いは再生されないように保護するツール／方法が提供される。現在、ディジタル記録のコンテンツ保護の問題は、競合するコンテンツ保護技術が幾つか提案されており、絶えず変化する状況にある。例えば、ＥＩＡ（Ｅｌｅｃｔｒｏｎｉｃｓ  Ｉｎｄｕｓｔｒｉｅｓ  Ａｌｌｉａｎｃｅ）は幾つかの異なるコンテンツ保護技術を提案しており、これらは、ＥＩＡ‐７６１Ａ、ＥＩＡ‐７６２、ＥＩＡ‐７７０、ＥＩＡ‐７７５のような仕様書に開示されている。このようなコンテンツ保護技術の存在にも関らず、業界全体に亘る単一規格がいまだに採用されていない。従って、本発明は、ディジタル記録用のコンテンツ保護をイネーブルする（利用可能にする）ための付加的技術を提供する。
【発明の開示】
【０００４】
（発明の概要）
本発明の態様による、信号受信装置を開示する。実施例によれば、信号受信装置は、特定のディジタル・コンテンツを含む信号を受信する入力手段と、前記信号受信装置および特定のディジタル・コンテンツに割り当てられるディジタル・キーを記憶する記憶（メモリ）手段と、暗号化されたディジタル・データを発生するためにディジタル・キー（鍵）を使用して特定のディジタル・コンテンツを暗号化する暗号化手段と、暗号化されたディジタル・データを記録装置に出力する出力手段と、から成る。
【０００５】
記録されたコンテンツが、異なるディジタル・キーを割り当てられている別の装置により再生できないようにするために、割り当てられたディジタル・キーは、信号受信装置および特定のディジタル・コンテンツに独自のものであることが好ましい。
【０００６】
本発明の別の態様による、信号受信装置と記録装置を使用するディジタル記録を可能にする方法を開示する。実施例によれば、信号受信装置は、特定のディジタル・コンテンツと信号受信装置に割り当てられたディジタル・キーを受信するステップと、特定のディジタル・コンテンツを含む信号を受信するステップと、ディジタル・キーを使用して特定のディジタル・コンテンツを暗号化し、暗号化されたディジタル・データを発生するステップと、暗号化されたディジタル・データを記録装置に供給するステップと、を実行する。
【０００７】
更に、別の態様による、開示されるディジタル記録装置は、暗号化されたディジタル・データを外部に接続された装置から受信する入力端子を具える。暗号化されたディジタル・データは、特定の住宅に関連する１つまたは複数の装置（外部に接続された装置を含む）および暗号化されたディジタル・データに対応する特定のディジタル・コンテンツに割り当てられたディジタル・キーで暗号化される。メモリは、暗号化されたディジタル・データを記録する。
【０００８】
本発明の上述した、および他の特徴と利点、そしてそれらを達成する方法は、添付の図面に関連する実施例についての以下の説明を参照することにより、より良く理解される。
【０００９】
本明細書中で述べる実施例は、本発明の好ましい実施例であるが、このような実施例は、本発明の範囲を制限するものと解釈すべきではない。図面全体にわたり、同様な参照番号は、同一または類似の要素を表す。
なお、特許請求の範囲と実施例との対応関係を図面で使われている参照番号で示すと次の通りである。
１．ディジタル受信装置（１０、２０）であって、
特定のディジタル・コンテンツを含む信号および当該特定のディジタル・コンテンツに割り当てられた第１のディジタル・キーを受信する入力手段（１２、２２）を備え、
前記信号受信装置には第２のディジタル・キーが割り当てられており、
前記装置はさらに、
前記第１及び第２のディジタル・キーを記憶する記憶手段（１４、２４）と、
暗号化されたディジタル・データを発生するために、前記第１及び第２のディジタル・キーを使用して前記特定のディジタル・コンテンツを暗号化する暗号化手段（１６、２６）と、
前記暗号化ディジタル・データをディジタル記録装置（３０）に出力する出力手段（１８、２８）と、を備える、前記装置（１０、２０）。
２．  前記暗号化されたディジタル・データは、前記第２のディジタル・キーとは異なるディジタル・キーを割り当てられた他の信号受信装置で復号化できない、請求項１記載の装置（１０、２０）。
３．  前記入力手段（１２、２２）は、前記第１のディジタル・キーもまた信号源から受信する、請求項１記載の装置（１０、２０）。
４．  前記第２のディジタル・キーが、製造の間、前記記憶手段（１４、２４）の中にプログラムされる、請求項１記載の装置（１０、２０）。
５．  前記ディジタル記録装置（３０）が、ディジタル・バスを介し、前記ディジタル信号受信装置（１０、２０）に接続される、請求項１記載の装置（１０、２０）。
６．  前記ディジタル信号受信装置は、利用者が第１のディジタル・キーを変更するためのユーザ・インタフェースを含んでいない、請求項１記載の装置（１０、２０）。
７．  信号受信装置およびディジタル記録装置を使用してディジタル記録をイネーブルする方法（４００／５００）であって、
前記信号受信装置が、
特定のディジタル・コンテンツに割り当てられた第１のディジタル・キーを受信するステップ（４１０）であって、前記信号受信装置には第２のディジタル・キーが割り当てられている、前記ステップ（４１０）と、
前記特定のディジタル・コンテンツを含む信号を受信するステップ（４２０）と、
暗号化されたディジタル・データを発生するために、前記第１および第２のディジタル・キーを使用して前記特定のディジタル・コンテンツを暗号化するステップ（４３０）と、
前記暗号化されたディジタル・データを前記ディジタル記録装置に送信するステップ（４４０）と、
を備えるステップを遂行する、前記方法（４００／５００）。
８．  前記ディジタル記録装置（３０）が、
前記暗号化されたディジタル・データを受信するステップ（５１０）と、
前記暗号化されたディジタル・データをメモリに記録するステップ（５２０）と、
前記暗号化されたディジタル・データを前記メモリから検索するステップ（５３０）と、
暗号化解除のために、前記暗号化されたディジタル・データを前記信号受信装置に返送するステップ（５４０）と、
を備えるステップを遂行する、請求項７記載の方法（４００／５００）。
９．  前記暗号化されたディジタル・データが、前記第２のディジタル・キーとは異なるディジタル・キーを割り当てられた他の信号受信装置で復号化できない、請求項７記載の方法（４００／５００）。
１０．  前記信号受信装置が、前記第１のディジタル・キーを信号源から受信する、請求項７に記載の方法（４００／５００）。
１１．  前記第２のディジタル・キーが、製造の間、前記信号受信装置のメモリの中にプログラムされる、請求項７記載の方法（４００／５００）。
１２．  前記信号受信装置と前記ディジタル記録装置が１つの装置の中に統合される、請求項７記載の方法（４００／５００）。
１３．  前記信号受信装置が、前記ディジタル記録装置に外部で接続される、請求項７記載の方法（４００／５００）。
１４．  前記信号受信装置が、ディジタル・バスを介し、前記ディジタル記録装置に接続される、請求項１３記載の方法（４００／５００）。
１５．  前記信号受信装置は、利用者が前記第１のディジタル・キーを変更するためのユーザ・インタフェースを含んでいない、請求項７記載の方法（４００／５００）。
【発明を実施するための最良の形態】
【００１０】
図１に、本発明の実施例によるディジタル記録のための構成１００を示す。構成１００は、信号受信装置１０のような信号受信手段、およびディジタル記録装置３０のようなディジタル・データ記録手段から成る。図１の実施例で、信号受信装置１０とディジタル記録装置３０は、別個の装置を表す。
【００１１】
信号受信装置１０は、信号受信機能と暗号化／復号化（暗号解読）機能を含む種々の機能を実行する。図１で、信号受信装置１０は、入力手段（入力端子１２）、記憶手段（メモリ１４）、暗号化／復号化（Ｅ／Ｄ：Ｅｎｃｒｙｐｔｉｏｎ／Ｄｅｃｒｙｐｔｉｏｎ）手段（Ｅ／Ｄモジュール１６）、および入力／出力手段（入力／出力端子１８）から成る。信号受信装置１０は、具体的に、テレビジョン信号受信機またはその一部である。従って、信号受信装置１０には、チューナ、復調器、プロセッサ、メモリ、または他の要素（図示せず）も含まれる。また、信号受信装置１０に関連する従来の他の要素（信号送信ライン、制御信号、電源信号など）も図１に示されていない。
【００１２】
入力端子１２は、アンテナのような信号受信要素を介して、衛星／ケーブル／地上波放送源のような、１つまたは複数の信号源から供給されるオーディオ／ビデオ／データ信号などを受信する。メモリ１４は、データの暗号化／復号化機能のために信号受信装置１０で使用される１つまたは複数のディジタル・キーを含むデータを記憶する。暗号化／復号化（Ｅ／Ｄ）モジュール１６は、メモリ１４内に記憶されるディジタル・キーを使用して、信号受信装置１０のデータ暗号化／復号化機能を実行し、ディジタル的にそれぞれ暗号化された／復号化（解読）されたデータを発生する。入力／出力端子１８は、データ（暗号化されたディジタル・データを含む）をディジタル記録装置３０に出力し、且つディジタル記録装置３０から受信する。図１に示すように、信号受信装置１０は他の出力も発生する。例えば、信号受信装置１０は、復号化されたディジタル・データを、最終的に再生するために出力する。
【００１３】
１つの実施例によれば、メモリ１４内に記憶される１つまたは複数のディジタル・キーが信号受信装置１０に割り当てられる。割り当てられたディジタル・キーは、そのディジタル・キーで暗号化されるディジタル・データが、信号受信装置１０でのみ復号化できるように独自のものであることが好ましい。或る特定のディジタル・キーが、特定のコンテンツ（或る特定のテレビジョン放送番組）にリンクされる。例えば、特定のディジタル・キーが、信号受信装置１０にダウンロードされ、特定のテレビジョン番組が放送される以前に、メモリ１４内に記憶される。次に、暗号化／復号化（Ｅ／Ｄ）モジュール１６は、その特定のディジタル・キーを使用して、その特定のテレビジョン番組に対応する暗号化されたディジタル・データを発生し、テレビジョン番組は、入力／出力端子１８を介して、ディジタル記録装置３０に出力され、記録される。特定のテレビジョン放送番組に対応する暗号化されたディジタル・データは後でディジタル記録装置３０から検索され、信号受信装置１０でのみ復号化する。このような、コンテンツに独自のディジタル・キーは、信号受信装置１０に周期的にダウンロードされ（例えば、一方向の放送環境をサポートするために）、或いは必要に応答して、信号受信機１０により消滅されるか、または無視される。
【００１４】
別の実施例によれば、特定の家庭用または営業用住宅に関連する１つまたは複数の装置に独自（専用）のディジタル・キーが割り当てられ、そのディジタル・キーを使用して暗号化されたディジタル・データだけが、その１つまたは複数の装置で復号化できるようにする。例えば、図１で、信号受信装置１０は、特定の家庭用／営業用住宅に関連する装置を表す。上述した幾つかの実施例の組合せも、本発明の範囲内にある。
【００１５】
実施例によれば、ディジタル・キーは、種々異なる方法で信号受信装置１０に供給される。上述したように、ディジタル・キーは、信号受信装置１０にダウンロードされる。例えば、ディジタル・キーは、衛星／ケーブル／地上波／または他の放送源から供給される。本実施例で、ディジタル・キーは、アドレス可能な信号として具体化され、受信される放送信号に含まれ、或いは受信される放送信号から分離されて信号受信装置１０に供給される。別の例として、ディジタル・キーは、製造工程において、信号受信装置１０のメモリ１４の中にプログラムされる。本明細書中で「ディジタル・キー（ｄｉｇｉｔａｌ  ｋｅｙ）」という用語は、暗号化キーまたは復号化（解読）キーを指す。ディジタル・キー（鍵）が対称的キーであるならば、１つのキーが暗号化機能と復号化機能に兼用され、もしディジタル・キーが非対称キーであるなら、暗号化キーと復号化（解読）キーが別個に必要とされる。
【００１６】
１つの実施例で、信号受信装置１０は、信号受信装置１０の利用者がディジタル・キーを読み出し／入力し／或いは変更するためのユーザ・インタフェースを具えない。従って、信号受信装置１０を使用して記録されたコピーをつくると、信号受信装置１０以外の他の再生装置でそのコピーを再生できない、その再生装置は復号化できる機能を具えていないか、または異なるディジタル・キーが割り当てられているかもしれないからである。
【００１７】
ディジタル記録装置３０は種々のディジタル・データ記録機能を遂行する。図１のように、ディジタル記録装置３０は、入力／出力端子３２のような入力／出力手段と、メモリ・モジュール３４のような記憶手段とから成る。信号受信装置１０の入力／出力端子１８とディジタル記録装置３０の入力／出力端子３２は、ＵＳＢ（Ｕｎｉｖｅｒｓａｌ  Ｓｅｒｉａｌ  Ｂｕｓ）規格のようなディジタル・シリアル・バスを介して、動作的に結合される。このように、ディジタル記録装置３０は、信号受信装置１０に外部で接続され、そのデータ記録／取出（検索）機構として使用される。メモリ・モジュール３４は、マイクロコントローラのような制御要素、ハード・ディスク・ドライブ（ＨＤＤ）のようなメモリ／データ記憶要素、および他の要素（図示せず）を具える。この実施例により、マイクロコントローラはＨＤＤからのディジタル・データの検索と記録とを制御すると共に、データの誤り検出／訂正機能のような、他の機能も提供する。
【００１８】
ディジタル記録装置３０は暗号化されたディジタル・データを、入力／出力端子３２を介し、信号受信装置１０から受信し、暗号化されたディジタル・データをメモリ・モジュール３４に記録する。利用者のコマンドに応答して、暗号化され記録されたディジタル・データは、メモリ・モジュール３４から検索され、信号受信装置に供給され復号化され最終的に再生される。上述したように、ディジタル記録装置３０で記録される暗号化されたディジタル・データは、信号受信装置１０に独自のディジタル・キーで暗号化される。この場合、暗号化されたディジタル・データは信号受信装置１０でのみ復号（解読）できる。また、ディジタル・キーは、特定の家庭用／営業用住宅に関連する１つまたは複数の装置で共有されるので、そのディジタル・キーで暗号化されたディジタル・データはその１つまたは複数の装置でのみ復号（解読）できる。この場合、ディジタル記録装置３０は、その特定の住宅の全体にわたり移動され、そして他の装置と共に（その装置が当該ディジタル・キーを受信しておれば）使用される。
【００１９】
また、ディジタル記録装置３０は、他の種々の特徴、すなわち、コマーシャル・スキップ／削除（広告放送の飛ばし／抜かし）、都合のよいときに何回でも見られるプリロード・コンテンツ、コンテンツの所有者の権利を保護すると同時に利用者がコンテンツを保管装置に記憶されるようにするデータ・アーカイブ、無料加入、などの特徴を提供する。
【００２０】
図２に、本発明の別の実施例による、ディジタル記録用の構成２００を示す。構成２００は、信号受信手段（信号受信装置１０）、信号受信／ルーティング（経路指定）手段（ハブ２０）、およびディジタル記録手段（ディジタル記録装置３０）から成る。図２で、信号受信装置１０およびディジタル記録装置３０は、図１の同じ番号の要素と同一または類似の要素を表すので、ここでは再び記述しない。図２の実施例で、信号受信装置１０、ハブ（ｈｕｂ）２０、およびディジタル記録装置３０は各々が別個の装置を表し、これらは、ＵＳＢ（または他のタイプの接続）のような、ディジタル・シリアル・バスを介し、互いに動作的に接続される。
【００２１】
ハブ（ｈｕｂ）２０は、信号受信／ルーティング（ｒｏｕｔｉｎｇ：経路指定）機能など、種々の機能を遂行する。図２に示すように、ハブ２０は、入力手段（入力端子２２）、第１の入力／出力手段（第１の入力／出力端子２３）、記憶手段（メモリ２４）、暗号化／復号化（Ｅ／Ｄ）手段（Ｅ／Ｄモジュール２６）、および第２の入力／出力手段（第２の入力／出力端子２８）から成る。ハブ２０には、チューナ、復調器、プロセッサ、メモリ、および他の要素（図示せず）も含まれる。信号送信ライン、制御信号、電源信号、およびその他の要素のような、ハブ２０に関連する従来の他の要素も図２に示されていない。
【００２２】
入力端子２２は、受信要素（アンテナ）を介し、衛星／ケーブル／地上波／または他の放送源のような、１つまたは複数の信号源から、オーディオ／ビデオ／またはデータ信号などを受信する。第１の入力／出力端子２３は、暗号化されたディジタル・データを信号受信装置１０に出力し、且つ受信装置１０から受信する。メモリ２４は、データの暗号化と復号化のためにハブ２０で使用される１つまたは複数のディジタル・キーを含むデータを記憶する。暗号化／復号化（Ｅ／Ｄ）モジュール２６は、メモリ２４に記憶されるディジタル・キーを使用して、ハブ２０のデータ暗号化／復号化機能を遂行して、ディジタル的に暗号化され／復号化されたデータをそれぞれ発生する。第２の入力／出力端子２８は、暗号化されたディジタル・データを、ディジタル記録装置３０に出力し、且つディジタル記録装置３０から受信する。図２に示すように、ハブ２０には、データを１つまたは複数の他の装置に出力し且つこれらの装置から受信する手段も含まれる。例えば、ハブ２０は、復号化されたディジタル・データを、最終的に再生するために、このような他の装置へ出力する。
【００２３】
また、ハブ２０は、信号受信装置１０の上述した機能も遂行する。従って、ハブ２０は、アンテナのような信号受信装置を介して、衛星／ケーブル／地上波放送源のような、１つまたは複数の信号源からのオーディオ／ビデオ／データ信号などを受信し、受信された信号をハブ２０に独自の１つまたは複数のディジタル・キーで暗号化して、暗号化されたディジタル・データを発生し、この暗号化ディジタル・データはディジタル記録装置３０内に記憶される。図１の実施例と同様に、ハブ２０で使用される特定のディジタル・キーは、上述したように、特定のテレビジョン放送番組のような、特定のコンテンツとリンクされる。更に、ハブ２０で使用されるディジタル・キーは、特定の住宅に関連する１つまたは複数の他の装置と共有され、ハブ２０より発生される暗号化されたディジタル・データはハブ２０および／またはこの１つまたは複数の他の装置でのみ復号化できる。例えば、図２で、信号受信装置１０およびハブ２０は、或る特定の家庭用／営業用住宅に関連する装置を表す。また、図１の実施例と同様に、ハブ２０はディジタル・キーを放送源から受信し、または製造工程において、メモリ２４の中にプログラムする。
【００２４】
図３に、本発明の更に別の実施例によるディジタル記録のための構成３００を示す。図３で、構成３００は、信号受信装置１０（信号受信手段）と、ディジタル記録装置３０（ディジタル記録手段）と、から成る。図３で、信号受信装置１０、ディジタル記録装置３０、およびそれらのそれぞれの要素は、図１および図２の同じ番号の要素と同一または類似の要素を表すが、１つの装置５０の中に統合されている。
【００２５】
図３で、信号受信装置１０とディジタル記録装置３０は、アンテナのような信号受信要素を介して、衛星／ケーブル／地上波放送の源から、オーディオ／ビデオ／データ信号などの信号を受信する。更に、信号受信装置１０とディジタル記録装置３０は１つの装置５０の中に統合されるので、両装置（１０、３０）は、装置５０に独自の１つまたは複数のディジタル・キーを共有する。以前の実施例と同様に、装置５０で使用される特定のディジタル・キーは、以前述べたようにして、特定のコンテンツ（特定のテレビジョン放送番組）にリンクされる。装置５０で使用されるディジタル・キーは特定の住宅に関連する１つまたは複数の他の装置と共有され、装置５０より発生される暗号化されたディジタル・データは装置５０または前記１つまたは複数の装置でのみ復号化できる。図１と図２の実施例と同様に、装置５０はディジタル・キーを放送源から受信し、または製造工程において、メモリ（１４／３４）の中にプログラムする。
【００２６】
本発明のコンセプトの理解を容易にするために実例を示す。図４に、本発明の１つの態様によるステップを例示するフローチャート４００を示す。図４のステップは、以前に説明した図１に示す実施例に関して説明する。図４のステップは単に例示的なもので、本発明を制限する意図のものではない。
【００２７】
ステップ４１０で、信号受信装置１０はディジタル・キーを受信して、そのディジタル・キーをメモリ１４内に記憶する。上述したように、ステップ４１０で、信号受信装置１０はディジタル・キーを、種々の方法で、例えば、放送源から、または製造工程において、ディジタル・キーをメモリ１４の中にプログラムすることにより、受信する。ディジタル・キーは、特定の住宅に関連する信号受信装置１０および１つまたは複数の他の装置に独自のものである。また、ディジタル・キーは、或る特定のテレビジョン放送番組のような、特定のコンテンツにリンクされる。
【００２８】
ステップ４２０で、信号受信装置１０は、アンテナ／入力端子１２のような信号受信要素を介して、衛星／ケーブル／地上波／その他の放送源のような、１つまたは複数の信号源からオーディオ／ビデオ／データ信号のような、信号を受信する。
【００２９】
ステップ４３０で、信号受信装置１０の暗号化／復号化（Ｅ／Ｄ）モジュールは、ステップ４１０で受信したディジタル・キーを使用して、ステップ４２０で受信した信号を暗号化し、暗号化されたディジタル・データを発生する。ディジタル・キーは、特定の住宅の信号受信装置１０および１つまたは複数の他の装置に独自のもので、ステップ４３０で発生される暗号化されたディジタル・データは信号受信装置１０とこの１つまたは複数の他の装置でのみ復号化できる。
【００３０】
ステップ４４０で、信号受信装置１０は、ステップ４３０で発生される暗号化されたディジタル・データを、入力／出力端子１８を介して記録するために、ディジタル記録装置３０に供給する。ステップ４４０で、ＵＳＢおよび他のタイプの接続のようなディジタル・シリアル・バスで、暗号化されたディジタル・データはディジタル記録装置３０に供給される。
【００３１】
図５に、本発明の別の態様によるステップを例示するフローチャートを示す。図５のステップは前述した図１の実施例に関して説明する。図５のステップは単に例示的なものであって、本発明を制限する意図のものではない。
【００３２】
ステップ５１０で、ディジタル記録装置３０は、暗号化されたディジタル・データを信号受信装置１０から受信する。ステップ５１０で受信される暗号化されたディジタル・データは、ステップ４４０で信号受信装置から供給される暗号化されたディジタル・データである。
【００３３】
ステップ５２０で、ディジタル記録装置３０は暗号化されたディジタル・データをメモリ・モジュール３４に記録する。ステップ５２０で、メモリ３４のマイクロコンピュータは、暗号化されたディジタル・データをメモリ・モジュール３４のハード・ディスク・ドライブ（ＨＤＤ）に記録させることができ、データの誤り検出／訂正機能などの機能を遂行する。
【００３４】
ステップ５３０で、ディジタル記録装置３０は暗号化されたディジタル・データをメモリ・モジュール３４から検索する。メモリ・モジュール３４のマイクロコントローラは、符号化されたディジタル・データがメモリ・モジュール３４のＨＤＤから検索できるようにし、データ誤り検出／訂正機能などの機能を遂行する。ステップ５３０は、信号受信装置１０へのユーザによる入力に応答して遂行される。このユーザの入力により、信号受信装置１０は、検索コマンドをディジタル記録装置３０に出力し、ステップ５３０を開始させる。
【００３５】
ステップ５４０で、ディジタル記録装置３０は暗号化されたディジタル・データを、Ｅ／Ｄモジュール１６で復号化してその後再生するために、信号受信装置１０に供給する。ステップ５４０で、暗号化されたディジタル・データは、ＵＳＢ（および他のタイプの接続）のような、ディジタル・シリアル・バスを介して、信号受信装置１０に供給される。
【００３６】
本発明は、特定の装置または特定の家庭用／営業用住宅に関連する装置に独自のディジタル・キーでコンテンツを保護するディジタル記録技術を提供する。本発明は、ディスプレイ（表示装置）を具えるか否か、種々の装置に応用される。従って、本明細書中で使用される語句「信号受信装置」および「テレビジョン信号受信機」は、ディスプレイを具えるテレビジョン受信機、コンピュータまたはモニタ、およびディスプレイを具えないセットトップ・ボックス、ビデオ・カセット・レコーダ（ＶＣＲ）、ＤＶＤプレーヤ、テレビ・ゲーム機、コンピュータまたは他の装置など、種々異なるシステムまたは装置を指すが、これらに限定されない。
【００３７】
本発明は、好ましい設計を有するものとして説明されているが、この開示の精神と範囲内で変更する。従って、本出願は、本発明の原理により、本発明の変形または改変を包含する意図のものである。更に、本出願は、本発明が関る技術分野で知られている慣習または慣行内に入り、且つ特許請求の範囲の制限内に入るような、本開示からの離脱をも包含する意図のものである。
【図面の簡単な説明】
【００３８】
【図１】本発明の実施例による、ディジタル記録のための構成である。
【図２】本発明の別の実施例による、ディジタル記録のための構成である。
【図３】本発明の更に別の実施例による、ディジタル記録のための構成である。
【図４】本発明の１つの態様による、ステップを例示するフローチャートである。
【図５】本発明の別の態様による、ステップを例示するフローチャートである。
【図１】
0004707114.tif 000002
【図２】
0004707114.tif 000003
【図３】
0004707114.tif 000004
【図４】
0004707114.tif 000005
【図５】
0004707114.tif 000006